【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
以下の式Ｉの化合物
【化１】
2002533434.tif 000001
または薬学的に許容可能なその塩またはプロドラッグであって、
式中、R1、R2、R3、R4およびR5は、互いに無関係に、a．水素、b．ハロゲン、c．アルキル、d．ハロアルキル、e．アルコキシ、f．シアノ、g．ニトロ、h．カルボキシアルデヒドから選択され、但し、R1またはR3の少なくとも一つが、以下の式
【化２】
2002533434.tif 000002
で表される「シス−シンナミド」または「トランス−シンナミド」であって、
式中、R8およびR9は、互いに無関係に、a．水素、およびb．アルキル、c．カルボキシアルキル、d．アルキルアミノカルボニルアルキル、およびe．ジアルキルアミノカルボニルアルキルから選択され、および
R10およびR11は、互いに無関係に、a．水素、b．アルキル、c．シクロアルキル、d．アルコキシカルボニルアルキル、e．ヒドロキシアルキル、f．ヘテロサイクリル、g．ヘテロサイクリルアルキル、h．ヘテロサイクリルアミノ、i．置換ヘテロサイクリル、およびj．置換ヘテロサイクリルアルキルから選択され、または
NR10R11は、ヘテロサイクリルまたは置換ヘテロサイクリルであって、当該置換基は、互いに無関係に、1)アルキル、2)アルコキシ、3)アルコキシアルキル、4)シクロアルキル、5)アリール、6)ヘテロサイクリル、7)ヘテロサイクリルカルボニル、8)ヘテロサイクリルアルキルアミノカルボニル、9)ヒドロキシ、10)ヒドロキシアルキル、11)ヒドロキシアルコキシアルキル、12)カルボキシ、13)カルボキシアルキル、14)カルボキシカルボニル、15)カルボキシアルデヒド、16)アルコキシカルボニル、17)アリールアルコキシカルボニル、18)アミノアルキル、19)アミノアルカノイル、20)カルボキシアミド、21)アルコキシカルボニルアルキル、22)カルボキシアミドアルキル、23)シアノ、24)テトラゾリル、25)置換テトラゾリル、26)アルカノイル、27)ヒドロキシアルカノイル、28)アルカノイルオキシ、29)アルカノイルアミノ、30)アルカノイルオキシアルキル、31)アルカノイルアミノアルキル、32)スルホン酸塩、33)アルキルスルホニル、34)アルキルスルホニルアミノカルボニル、35)アリールスルホニルアミノカルボニル、および36)ヘテロサイクリルスルホニルアミノカルボニルから選択され、および
Arは、置換アリールまたは置換ヘテロアリール基であって、当該置換基は、互いに無関係に、a．水素、b．ハロゲン、c．アルキル、d．アリール、e．ハロアルキル、f．ヒドロキシ、g．アルコキシ、h．アルコキシアルキル、i．アルコキシカルボニル、j．アルコキシアルコキシ、k．ヒドロキシアルキル、l．アミノアルキル、m．アミノカルボニル、n．アルキル（アルコキシカルボニルアルキル）アミノアルキル、o．ヘテロサイクリル、p．ヘテロサイクリルアルキル、q．置換ヘテロサイクリルアルキル、r．カルボキシアルデヒド、s．カルボキシアルデヒドヒドラゾン、t．カルボキシアミド、u．アルコキシカルボニルアルキル、v．カルボキシ、w．カルボキシアルキル、x．ヒドロキシカルボニルアルキル（カルボキシアルキル）、y．ヒドロキシアルキルアミノカルボニル、z．シアノ、aa．アミノ、bb．ヘテロサイクリルアルキルアミノ、cc．ヘテロサイクリルアルキルアミノカルボニル、およびdd．「トランス−シンナミドから選択される当該化合物、または薬学的に許容可能なその塩またはプロドラッグ。
【請求項２】
R1が「シス−シンナミド」または「トランス−シンナミド」であり、かつR3が水素である請求項１に記載の化合物。
【請求項３】
R3が「シス−シンナミド」または「トランス−シンナミド」であり、かつR1が水素である請求項１に記載の化合物。
【請求項４】
R3が「シス−シンナミド」または「トランス−シンナミド」であり、かつR1、R8およびR9が水素である請求項１に記載の化合物。
【請求項５】
R3が「シス−シンナミド」である請求項４に記載の化合物。
【請求項６】
R3が「トランス−シンナミド」である請求項４に記載の化合物。
【請求項７】
R3が「シス−シンナミド」または「トランス−シンナミド」であり、R1、R2およびR4が、それぞれ互いに無関係に、水素またはアルキルであり、かつR5がハロゲン、ハロアルキルおよびニトロから選択される請求項１に記載の化合物。
【請求項８】
Arが、アリール、置換アリール、ヘテロアリールまたは置換ヘテロアリールである請求項４に記載の化合物。
【請求項９】
R10およびR11が、それぞれ互いに無関係に、水素、アルキル、シクロアルキル、アルコキシカルボニルアルキル、ヒドロキシアルキル、およびヘテロサイクリルアルキルから選択される請求項４に記載の化合物。
【請求項１０】
NR10R11が、ヘテロサイクリルまたは置換ヘテロサイクリルである請求項４に記載の化合物。
【請求項１１】
Arが、置換フェニル、1,3-ベンズイミダゾール-2-オン、1,4-ベンゾジオキサン、1,3-ベンゾジオキソール、1-ベンゾピル-2-エン-4-オン、インドール、イサチン、1,3-キナゾリン-4-オン、およびキノリンから選択される請求項８に記載の化合物。
【請求項１２】
前記化合物が、
(2,4-ジクロロフェニル)[2-(E-((6-ヒドロキシヘキシルアミノ)カルボニル)エテニル)フェニル]スルフィド；
(2,4-ジクロロフェニル)[2-(E-((3-(1-イミダゾリル)プロピルアミノ)カルボニル)エテニル)フェニル]スルフィド；
(2,4-ジクロロフェニル)[2-クロロ-4-(E-((2-ヒドロキシエチルアミノ)カルボニル)エテニル)フェニル]スルフィド；
(2,4-ジクロロフェニル)[2-クロロ-4-(E-((6-ヒドロキシヘキシルアミノ)カルボニル)エテニル)フェニル]スルフィド；
(2,4-ジクロロフェニル)[2-クロロ-4-(E-((ビス-(2-ヒドロキシエチル)アミノ)カルボニル)エテニル)フェニル]スルフィド；
(2,4-ジクロロフェニル)[2-クロロ-4-(E-((3-(1-ピロリディン-2-オンリー)プロピルアミノ)カルボニル)エテニル)フェニル]スルフィド；
(2,4-ジクロロフェニル)[2-クロロ-4-(E-((1-モルフォリニル)カルボニル)エテニル)フェニル]スルフィド；
(2,4-ジクロロフェニル)[2-クロロ-4-(E-((4-メチルピペラジン-1-イル)カルボニル)エテニル)フェニル]スルフィド；
(2,4-ジクロロフェニル)[2-クロロ-4-(E-((4-アセチルピペラジン-1-イル)カルボニル)エテニル)フェニル]スルフィド；
(2,4-ジクロロフェニル)[2-クロロ-4-(E-((4-(2-ピリジル)ピペラジン-1-イル)カルボニル)エテニル)フェニル]スルフィド；
(2-(ヒドロキシメチル)フェニル)[2-クロロ-4-(E-((1-モルフォリニル)カルボニル)エテニル)フェニル]スルフィド；
(2-ブロモフェニル)[2-クロロ-4-(E-((1-モルフォリニル)カルボニル)エテニル)フェニル]スルフィド；
(2,4-ジクロロフェニル)[2-クロロ-4-(E-((4-(2-ヒドロキシエチル)ピペラジン-1-イル)カルボニル)エテニル)フェニル]スルフィド；
(2,4-ジクロロフェニル)[2-クロロ-4-(E-((4-(2-ヒドロキシエトキシエチル)ピペラジン-1-イル)カルボニル)エテニル)フェニル]スルフィド；
(2-ブロモフェニル)[2-クロロ-4-(E-((3-(ヒドロキシメチル)ピペリジン-1-イル)カルボニル)エテニル)フェニル]スルフィド；
(2-ブロモフェニル)[2-クロロ-4-(E-((2-(ヒドロキシメチル)ピペリジン-1-イル)カルボニル)エテニル)フェニル]スルフィド；
(2-ブロモフェニル)[2-クロロ-4-(E-((3-アセタミドピロリディン-1-イル)カルボニル)エテニル)フェニル]スルフィド；
(2-ブロモフェニル)[2-クロロ-4-(E-((4-ヒドロキシピペリディン-1-イル)カルボニル)エテニル)フェニル]スルフィド；
(2-ブロモフェニル)[2-クロロ-4-(E-((ピペリディン-1-イル)カルボニル)エテニル)フェニル]スルフィド；
(2,4-ジクロロフェニル)[2-クロロ-4-(E-((3-カルボキシピペリディン-1-イル)カルボニル)エテニル)フェニル]スルフィド；
(2,4-ジクロロフェニル)[2-クロロ-4-(E-((4-カルボキシピペリディン-1-イル)カルボニル)エテニル)フェニル]スルフィド；
(2-ブロモフェニル)[2-クロロ-4-(E-((4-アセチルホモピペラジン-1-イル)カルボニル)エテニル)フェニル]スルフィド；
(2-ブロモフェニル)[2-クロロ-4-(E-((チオモルフォリン-1-イル)カルボニル)エテニル)フェニル]スルフィド；
(2-ブロモフェニル)[2-クロロ-4-(E-((4-(1-ベンズイミダゾール-2-オニル)ピペリジン-1-イル)カルボニル)エテニル)フェニル]スルフィド；
(2-ブロモフェニル)[2-クロロ-4-(E-((2-エトラヒドロイソキノリニル)カルボニル)エテニル)フェニル]スルフィド；
(2-メチルフェニル)[2-トリフルオロメチル-4-(E-((4-アセチルピペラジン-1-イル)カルボニル)エテニル)フェニル]スルフィド；
(2-メチルフェニル)[2-トリフルオロメチル-4-(E-((1-モルフォリニル)カルボニル)エテニル)フェニル]スルフィド；
(2-メチルフェニル)[2-トリフルオロメチル-4-(E-((2-(1-モルフォリニル)エチルアミノ)カルボニル)エテニル)フェニル]スルフィド；
(2-メチルフェニル)[2-トリフルオロメチル-4-(E-((4-フェニルピペラジン-1-イル)カルボニル)エテニル)フェニル]スルフィド；
(2-メチルフェニル)[2-トリフルオロメチル-4-(E-((3-(1-ピロリディン-2-オニル)プロピルアミノ)カルボニル)エテニル)フェニル]スルフィド；
(2-メチルフェニル)[2-トリフルオロメチル-4-(E-((シクロプロピルアミノ)カルボニル)エテニル)フェニル]スルフィド；
(2,4-ジクロロフェニル)[2-ニトロ-4-(E-((4-アセチルピペラジン-1-イル)カルボニル)エテニル)フェニル]スルフィド；
(2,4-ジクロロフェニル)[2-ニトロ-4-(E-((3-(1-ピロリディン-2-オニル)プロピルアミノ)カルボニル)エテニル)フェニル]スルフィド；
(2,3-ジクロロフェニル)[2-ニトロ-4-(E-((4-アセチルピペラジン-1-イル)カルボニル)エテニル)フェニル]スルフィド；
(4-ブロモフェニル)[2-ニトロ-4-(E-((4-アセチルピペラジン-1-イル)カルボニル)エテニル)フェニル]スルフィド；
(4-メチルフェニル)[2-ニトロ-4-(E-((4-アセチルピペラジン-1-イル)カルボニル)エテニル)フェニル]スルフィド；
(2,4-ジクロロフェニル)[2-ニトロ-4-(E-((4-(tert-ブトキシカルボニル)ピペラジン-1-イル)カルボニル)エテニル)フェニル]スルフィド；
(2,4-ジクロロフェニル)[2-ニトロ-4-(E-((4-(2-フロイルカルボニル)ピペラジン-1-イル)カルボニル)エテニル)フェニル]スルフィド；
(2,4-ジクロロフェニル)[2-ニトロ-4-(E-((4-(メタンスルフォニル)ピペラジン-1-イル)カルボニル)エテニル)フェニル]スルフィド；
(2,4-ジクロロフェニル)[2-ニトロ-4-(E-((4-(ジエチルアミノカルボニルメチル)ピペラジン-1-イル)カルボニル)エテニル)フェニル]スルフィド；
(2,4-ジクロロフェニル)[2-ニトロ-4-(E-((4-(ジエチルアミノカルボニル)ピペラジン-1-イル)カルボニル)エテニル)フェニル]スルフィド；
(2,4-ジクロロフェニル)[2-ニトロ-4-(E-((4-(tert-ブトキシカルボニルメチル)ピペラジン-1-イル)カルボニル)エテニル)フェニル]スルフィド；
(2,4-ジクロロフェニル)[2-ニトロ-4-(E-((4-(カルボキシカルボニル)ピペラジン-1-イル)カルボニル)エテニル)フェニル]スルフィド；
(2,4-ジクロロフェニル)[2-ニトロ-4-(E-((4-(カルボキシメチル)ピペラジン-1-イル)カルボニル)エテニル)フェニル]スルフィド；
(2-メチルフェニル)[2-ニトロ-4-(E-((4-アセチルピペラジン-1-イル)カルボニル)エテニル)フェニル]スルフィド；
(2-クロロフェニル)[2-ニトロ-4-(E-((4-アセチルピペラジン-1-イル)カルボニル)エテニル)フェニル]スルフィド；
(2-アミノフェニル)[2-ニトロ-4-(E-((4-アセチルピペラジン-1-イル)カルボニル)エテニル)フェニル]スルフィド；
(2-ヒドロキシメチルフェニル)[2-ニトロ-4-(E-((4-アセチルピペラジン-1-イル)カルボニル)エテニル)フェニル]スルフィド；
(2-エチルフェニル)[2-ニトロ-4-(E-((4-アセチルピペラジン-1-イル)カルボニル)エテニル)フェニル]スルフィド；
(2-iso-プロピルフェニル)[2-ニトロ-4-(E-((4-アセチルピペラジン-1-イル)カルボニル)エテニル)フェニル]スルフィド；
(2-tert-ブチルフェニル)[2-ニトロ-4-(E-((4-アセチルピペラジン-1-イル)カルボニル)エテニル)フェニル]スルフィド；
(2-クロロフェニル)[2-クロロ-4-(E-((4-アセチルピペラジン-1-イル)カルボニル))2-プロペニル)フェニル]スルフィド；
(2-(1-モルフォリニルメチル)フェニル)[2-クロロ-4-(E-((1-モルフォリニル)カルボニル)エテニル)フェニル]スルフィド；
(2-(4-(1,3-ベンゾジオキソリル-5-メチル)ピペラジン-1-イル)フェニル)[2-クロロ-4-(E-((1-モルフォリニル)カルボニル)エテニル)フェニル]スルフィド；
(2-(4-(iso-プロピルアミノカルボニルメチル)ピペラジン-1-イルメチル)フェニル)[2-クロロ-4-(E-((1-モルフォリニル)カルボニル)エテニル)フェニル]スルフィド；
(2-((N-エトキシカルボニルメチル-N-メチル)アミノメチル)フェニル)[2-クロロ-4-(E-((1-モルフォリニル)カルボニル)エテニル)フェニル]スルフィド；
(2-フォルミルフェニル)[2-クロロ-4-(E-((1-モルフォリニル)カルボニル)エテニル)フェニル]スルフィド；
(2-(4-フォルミルピペラジン-1-イルメチル)フェニル)[2-クロロ-4-(E-((1-モルフォリニル)カルボニル)エテニル)フェニル]スルフィド；
(2-(E-((1-モルフォリニル)カルボニル)エテニル)フェニル)[2-クロロ-4-(E-((1-モルフォリニル)カルボニル)エテニル)フェニル]スルフィド；
(2-フォルミルフェニル)[2-ニトロ-4-(E-((4-アセチルピペラジン-1-イル)カルボニル)エテニル)フェニル]スルフィド；
(2-フォルミルフェニル)[2-クロロ-4-(E-((1-モルフォリニル)カルボニル)エテニル)フェニル]スルフィド、N,N-ジメチルヒドラゾン；
(2-((3-(1-モルフォリニル)プロピル)-1-アミノ)フェニル)[2-クロロ-4-(E-((1-モルフォリニル)カルボニル)エテニル)フェニル]スルフィド；
(2,4-ジクロロフェニル)[2-ブロモ-4-(E-((3-(1-ピロリディン-2-オニル)プロピルアミノ)カルボニル)エテニル)フェニル]スルフィド；
(2,4-ジクロロフェニル)[2-フォルミル-4-(E-((1-モルフォリニル)カルボニル)エテニル)フェニル]スルフィド；
(2-クロロ-6-フォルミルフェニル)[2-クロロ-4-(E-((4-アセチルピペラジン-1-イル)カルボニル)エテニル)フェニル]スルフィド；
(2-シアノフェニル)[2-クロロ-4-(E-((4-アセチルピペラジン-1-イル)カルボニル)エテニル)フェニル]スルフィド；
(2-イソプロピルフェニル)[2-シアノ-4-(E-((モルフォリン-1-イル)カルボニル)エテニル)フェニル]スルフィド；
(2-ブロモフェニル)[2-ニトロ-4-(E-((4-アセチルピペラジン-1-イル)カルボニル)エテニル)フェニル]スルフィド；
(2-(ピロリディン-1-イル)フェニル)[2-クロロ-4-(E-((モルフォリン-1-イル)カルボニル)エテニル)フェニル]スルフィド；
(2-メトキシフェニル)[2-クロロ-4-(E-［(モルフォリン-1-イル)カルボニル]エテニル)フェニル]スルフィド；
(2-イソプロピルフェニル)[2-ニトロ-4-(E-((3-カルボメトキシピペラジン-1-イル)カルボニル)エテニル)フェニル]スルフィド；
(2-メトキシフェニル)[2-ニトロ-4-(E-((3-カルボキシアミド-4-カルボベンゾキシピペラジン-1-イル)カルボニル)エテニル)フェニル]スルフィド；
(2-イソプロピルフェニル)[2-ニトロ-4-(E-((2-カルボメトキシ-4-tert-ブトキシカルボニルピペラジン-1-イル)カルボニル)エテニル)フェニル]スルフィド；
(2-イソプロピルフェニル)[2-ニトロ-4-(E-((2-カルボキシ-4-tert-ブトキシカルボニルピペラジン-1-イル)カルボニル)エテニル)フェニル]スルフィド；
(2-イソプロピルフェニル)[2-トリフルオロメチル-4-(E-((4-アセチルピペラジン-1-イル)カルボニル)エテニル)フェニル]スルフィド；
(2-イソプロピルフェニル)[2-トリフルオロメチル-4-(E-((モルフォリン-1-イル)カルボニル)エテニル)フェニル]スルフィド；
(2-イソプロピルフェニル)[2-トリフルオロメチル-4-(E-((3-(ピロリディン-2-オン-1-イル)プロパ-1-イルアミド)カルボニル)エテニル)フェニル]スルフィド；
(2-イソプロピルフェニル)[2-トリフルオロメチル-4-(E-((シクロブチルアミノ)カルボニル)エテニル)フェニル]スルフィド；
(2-イソプロピルフェニル)[2-トリフルオロメチル-4-(E-((シクロペンチルアミノ)カルボニル)エテニル)フェニル]スルフィド；
(2-イソプロピルフェニル)[2-トリフルオロメチル-4-(E-((5-ヒドロキシペント-1-イルアミノ)カルボニル)エテニル)フェニル]スルフィド；
(2-イソプロピルフェニル)[2-ニトロ-4-(E-((3-カルボメトキシ-4-アセチルピペラジン-1-イル)カルボニル)エテニル)フェニル]スルフィド；
(2-ビフェニル)[2-クロロ-4-(E-((モルフォリン-1-イル)カルボニル)エテニル)フェニル]スルフィド；
(3,4-ジメチルフェニル)[2-ニトロ-4-(E-((4-アセチルピペラジン-1-イル)カルボニル)エテニル)フェニル]スルフィド；
(2-ブロモフェニル)[2-トリフルオロメチル-4-(E-((4-アセチルピペラジン-1-イル)カルボニル)エテニル)フェニル]スルフィド；
(5-インドリル)[2-クロロ-4-(E-((4-アセチルピペラジン-1-イル)カルボニル)エテニル)フェニル]スルフィド；
(5-ベンゾジオキソリル)[2-クロロ-4-(E-((4-アセチルピペラジン-1-イル)カルボニル)エテニル)フェニル]スルフィド；
(2-イソプロピルフェニル)[2-ニトロ-4-(E-((2-カルボメトキシピペラジン-1-イル)カルボニル)エテニル)フェニル]スルフィド；
(2,3-ジメトキシフェニル)[2-クロロ-4-(E-[(モルフォリン-1-イル)カルボニル]エテニル)フェニル]スルフィド；
(2-フルオロフェニル)[2-ニトロ-4-(E-((4-アセチルピペラジン-1-イル)カルボニル)エテニル)フェニル]スルフィド；
(2-ブロモフェニル)[2-トリフルオロメチル-4-(E-((4-(tert-ブトキシカルボニル)ピペラジン-1-イル)カルボニル)エテニル)フェニル]スルフィド；
(2-(ピロリディン-1-イル)フェニル)[2-トリフルオロメチル-4-(E-((4-(tert-ブトキシカルボニル)ピペラジン-1-イル)カルボニル)エテニル)フェニル]スルフィド；
(3-カルボキシアミドフェニル)[2-ニトロ-4-(E-((4-アセチルピペラジン-1-イル)カルボニル)エテニル)フェニル]スルフィド；
(3-(ヒドロキシメチル)フェニル)[2-ニトロ-4-(E-((4-アセチルピペラジン-1-イル)カルボニル)エテニル)フェニル]スルフィド；
フェニル[2-トリフルオロメチル-4-(E-((4-(tert-ブトキシカルボニル)ピペラジン-1-イル)カルボニル)エテニル)フェニル]スルフィド；
(2-イソプロピルフェニル)[2-トリフルオロメチル-4-(E-((2-カルボメトキシ-4-(tert-ブトキシカルボニル)ピペラジン-1-イル)カルボニル)エテニル)フェニル]スルフィド；
(2-イソプロピルフェニル)[2-ニトロ-4-(E-((3-(ピリジン-4-メチルアミノカルボニル-4-tert-ブトキシカルボニルピペラジン-1-イル)カルボニル)エテニル)フェニル]スルフィド；
(2-エトキシフェニル)[2-クロロ-4-(E-[(モルフォリン-1-イル)カルボニル)エテニル)フェニル]スルフィド；
(2-メトキシフェニル)[2-ニトロ-4-(E-((4-アセチルピペラジン-1-イル)カルボニル)エテニル)フェニル]スルフィド；
(2-(アゼティディン-1-イル)フェニル)[2-トリフルオロメチル-4-(E-((4-(tert-ブトキシカルボニル)ピペラジン-1-イル)カルボニル)エテニル)フェニル]スルフィド；
(2-(ピペリディン-1-イル)フェニル)[2-トリフルオロメチル-4-(E-((4-(tert-ブトキシカルボニル)ピペラジン-1-イル)カルボニル)エテニル)フェニル]スルフィド；
(3-クロロ-2-フォルミルフェニル)[2-クロロ-4-(E-((4-アセチルピペラジン-1-イル)カルボニル)エテニル)フェニル]スルフィド；
(2-トリフルオロメチルフェニル)[2-トリフルオロメチル-4-(E-((4-アセチルピペラジン-1-イル)カルボニル)エテニル)フェニル]スルフィド；
(3-ブロモフェニル)[2-トリフルオロメチル-4-(E-((4-アセチルピペラジン-1-イル)カルボニル)エテニル)フェニル]スルフィド；
(3,5-ジメチルフェニル)[2-トリフルオロメチル-4-(E-((4-アセチルピペラジン-1-イル)カルボニル)エテニル)フェニル]スルフィド；
(2-イソプロピルフェニル)[2-ニトロ-4-(E-((3-ジメチルアミノカルボニル-4-(ピリジン-4-カルボニル)ピペラジン-1-イル)カルボニル)エテニル)フェニル]スルフィド；
(2-イソプロピルフェニル)[2-ニトロ-4-(E-((3-ジメチルアミノカルボニル-4-カルボメトキシピペラジン-1-イル)カルボニル)エテニル)フェニル]スルフィド；
(2-イソプロピルフェニル)[2-ニトロ-4-(E-((3-ジメチルアミノカルボニル-4-アセチルピペラジン-1-イル)カルボニル)エテニル)フェニル]スルフィド；
(2-イソプロピルフェニル)[2-ニトロ-4-(E-((3-(1-モルフォリノカルボニル)-4-tert-ブトキシカルボニルピペラジン-1-イル)カルボニル)エテニル)フェニル]スルフィド；
(2-イソプロピルフェニル)[2-ニトロ-4-(E-((3-(ピリジン-4-メチルアミノカルボニル)ピペラジン-1-イル)カルボニル)エテニル)フェニル]スルフィド；
(2-イソプロピルフェニル)[2-ニトロ-4-(E-(((3-ジメチルアミノカルボニル)ピペラジン-1-イル)カルボニル)エテニル)フェニル]スルフィド；
(2-イソプロピルフェニル)[2-ニトロ-4-(E-((3-(ベンジルアミノカルボニル)-4-tert-ブトキシカルボニルピペラジン-1-イル)カルボニル)エテニル)フェニル]スルフィド；
(2-イソプロピルフェニル)[2-ニトロ-4-(E-((3-(ジメチルアミノカルボニル)-4-tert-ブトキシカルボニルピペラジン-1-イル)カルボニル)エテニル)フェニル]スルフィド；
(2-ブロモフェニル)[2-クロロ-4-(E-((3-(5S-ヒドロキシメチル-ピロリディン-2-オン-1-イル)プロパ-1-イルアミノ)カルボニル)エテニル)フェニル]スルフィド；
(2-ブロモフェニル)[2-クロロ-4-(E-((3-(ピロリディン-2-オン-1-イル)プロパ-1-イルアミノ)カルボニル)エテニル)フェニル]スルフィド；
(2-ブロモフェニル)[2-クロロ-4-(E-(N-メチル-N-(3-(3-ピロリディン-2-オン-1-イル)プロパ-1-イル)アミノ)カルボニル)エテニル)フェニル]スルフィド；
(2-[2-メトキシ]エトキシフェニル)[2-クロロ-4-(E-[(モルフォリン-1-イル)カルボニル]エテニル)フェニル]スルフィド；
(2-イソプロピルフェニル)[2-ニトロ-4-(E-((3-(モルフォリノカルボニル)ピペラジン-1-イル)カルボニル)エテニル)フェニル]スルフィド；
(2-イソプロピルフェニル)[2-ニトロ-4-(E-((4-tert-ブトキシカルボニルピペラジン-1-イル)カルボニル)エテニル)フェニル]スルフィド；
(2-イソプロピルフェニル)[2-ニトロ-4-(E-((4-メトキシカルボニルピペラジン-1-イル)カルボニル)エテニル)フェニル]スルフィド；
(2-イソプロピルフェニル)[2-ニトロ-4-(E-(4-(ピリジン-4-カルボニル)ピペラジン-1-イル)カルボニル)エテニル)フェニル]スルフィド；
(2-イソプロピルフェニル)[2-ニトロ-4-(E-((3-(ピリジン-3-メチルアミノカルボニル)-4-tert-ブトキシカルボニルピペラジン-1-イル)カルボニル)エテニル)フェニル]スルフィド；
(2-イソプロピルフェニル)[2-ニトロ-4-(E-((3-(ピリジン-2-メチルアミノカルボニル)ピペラジン-1-イル)カルボニル)エテニル)フェニル]スルフィド；
(2-イソプロピルフェニル)[2-ニトロ-4-(E-((3-(ピリジン-3-メチルアミノカルボニル)ピペラジン-1-イル)カルボニル)エテニル)フェニル]スルフィド；
(4-ヒドロキシフェニル)[2-ニトロ-4-(E-((4-アセチルピペラジン-1-イル)カルボニル)エテニル)フェニル]スルフィド；
(3,5-ジクロロフェニル)[2-ニトロ-4-(E-((4-アセチルピペラジン-1-イル)カルボニル)エテニル)フェニル]スルフィド；
(2-ブロモフェニル)[2-クロロ-4-(E-((3-(5S-アセトキシメチル-ピロリディン-2-オン-1-イル)プロパ-1-イルアミノ)カルボニル)エテニル)フェニル)スルフィド；
(2-ブロモフェニル)[2-クロロ-4-(E-((3-(5S-メトキシメチル-ピロリディン-2-オン-1-イル)プロパ-1-イルアミノ)カルボニル)エテニル)フェニル)スルフィド；
(2-ブロモフェニル)[2-クロロ-4-(E-((3-(4R-ヒドロキシメチル-ピロリディン-2-オン-1-イル)プロパ-1-イルアミノ)カルボニル)エテニル)フェニル)スルフィド；
フェニル[2-ニトロ-4-(E-((4-アセチルピペラジン-1-イル)カルボニル)エテニル)フェニル]スルフィド；
(2-ジメチルアミノフェニル)[2-ニトロ-4-(E-((4-アセチルピペラジン-1-イル)カルボニル)エテニル)フェニル]スルフィド；
(3-((2-ヒドロキシエチル)アミノカルボニル)フェニル)[2-ニトロ-4-(E-((4-アセチルピペラジン-1-イル)カルボニル)エテニル)フェニル]スルフィド；
(3-((3-(1-イミダゾリル)プロピル)アミノカルボニル)フェニル)[2-ニトロ-4-(E-((4-アセチルピペラジン-1-イル)カルボニル)エテニル)フェニル]スルフィド；
(3-((2-(1-モルフォリニル)エチル)アミノカルボニル)フェニル)[2-ニトロ-4-(E-((4-アセチルピペラジン-1-イル)カルボニル)エテニル)フェニル]スルフィド；
(2-イソプロピルフェニル)[2-ニトロ-4-(E-((3-ヒドロキシメチル-4-tert-ブトキシカルボニルピペラジン-1-イル)カルボニル)エテニル)フェニル]スルフィド；
(2-イソプロピルフェニル)[2-ニトロ-4-(E-((4-フォルミルピペラジン-1-イル)カルボニル)エテニル)フェニル]スルフィド；
(2-イソプロピルフェニル)[2-ニトロ-4-(E-((2-ヒドロキシメチル-4-tert-ブトキシカルボニルピペラジン-1-イル)カルボニル)エテニル)フェニル]スルフィド；
(2-エトキシフェニル)[2-クロロ-4-(E-[(3-エトキシカルボニルピペリジン-1-イル)カルボニル]エテニル)フェニル]スルフィド；
(3-アミノフェニル)[2-ニトロ-4-(E-((4-アセチルピペラジン-1-イル)カルボニル)エテニル)フェニル]スルフィド；
(4-アミノフェニル)[2-ニトロ-4-(E-((4-アセチルピペラジン-1-イル)カルボニル)エテニル)フェニル]スルフィド；
(2,4-ジメチルフェニル)[2-ニトロ-4-(E-((4-アセチルピペラジン-1-イル)カルボニル)エテニル)フェニル]スルフィド；
(2,5-ジメチルフェニル)[2-ニトロ-4-(E-((4-アセチルピペラジン-1-イル)カルボニル)エテニル)フェニル]スルフィド；
(4-メトキシフェニル)[2-ニトロ-4-(E-((4-アセチルピペラジン-1-イル)カルボニル)エテニル)フェニル]スルフィド；
(3-クロロフェニル)[2-ニトロ-4-(E-((4-アセチルピペラジン-1-イル)カルボニル)エテニル)フェニル]スルフィド；
(2-クロロ、4,5-ジアミノフェニル)[2-クロロ-4-(E-((4-アセチルピペラジン-1-イル)カルボニル)エテニル)フェニル]スルフィド；
(3,4-ジアミノフェニル)[2-クロロ-4-(E-((4-アセチルピペラジン-1-イル)カルボニル)エテニル)フェニル]；
(6-クロロベンズイミダゾール-2-オン-5-イル)[2-クロロ-4-(E-((4-アセチルピペラジン-1-イル)カルボニル)エテニル)フェニル]スルフィド；
(1-メチルインドール-7-イル)[2-クロロ-4-(E-((4-アセチルピペラジン-1-イル)カルボニル)エテニル)フェニル]スルフィド；
(2-ヒドロキシ、4-アミノフェニル)[2-クロロ-4-(E-((4-アセチルピペラジン-1-イル)カルボニル)エテニル)フェニル]スルフィド；
(2-イソプロピルフェニル)[2-ニトロ-4-(E-((4-メチルピペラジン-1-イル)カルボニル)エテニル)フェニル]スルフィド；
(2-イソプロピルフェニル)[2-ニトロ-4-(E-((4-(ピリジン-2-カルボニル)ピペラジン-1-イル)カルボニル)エテニル)フェニル]スルフィド；
(2-イソプロピルフェニル)[2-ニトロ-4-(E-((4-(ピリジン-3-カルボニル)ピペラジン-1-イル)カルボニル)エテニル)フェニル]スルフィド；
(2-イソプロピルフェニル)[2-ニトロ-4-(E-((2-カルボメトキシ-4-メトキシカルボニルピペラジン-1-イル)カルボニル)エテニル)フェニル]スルフィド；
(2-イソプロピルフェニル)[2-ニトロ-4-(E-((2-カルボキシ-4-メトキシカルボニルピペラジン-1-イル)カルボニル)エテニル)フェニル]スルフィド；
(2-イソプロピルフェニル)[2-ニトロ-4-(E-((3-カルボメトキシ-4-メチルピペラジン-1-イル)カルボニル)エテニル)フェニル]スルフィド；
(2-エトキシフェニル)[2-クロロ-4-(E-[(3-カルボキシピペリジン-1-イル)カルボニル]エテニル)フェニル]スルフィド；
(2-エトキシフェニル)[2-クロロ-4-(E-[(3-カルボキシピペリジン-1-イル)カルボニル]エテニル)フェニル]スルフィド；
(2-エトキシフェニル)[2-クロロ-4-(E-[(2-エトキシカルボニルピペリジン-1-イル)カルボニル]エテニル)フェニル]スルフィド；
(2-エトキシフェニル)[2-トリフルオロメチル-4-(E-((1-(tert-ブトキシカルボニル)-4-ヒドロキシピロリディン-3-イルアミノ)カルボニル)エテニル)フェニル]スルフィド；
(2-エトキシフェニル)[2-クロロ-4-(E-[(2-カルボキシピペリディン-1-イル)カルボニル)エテニル)フェニル]スルフィド；
(2-エトキシフェニル)[2-トリフルオロメチル-4-(E-(((ピロル-3-イン-1-イル)カルボニル)エテニル)フェニル]スルフィド；
(2-エトキシフェニル)[2-トリフルオロメチル-4-(E-((3-(ピロリディン-2-オン-1-イル)プロパ-1-イルアミノ)カルボニル)エテニル)フェニル]スルフィド；
(2-エトキシフェニル)[2-トリフルオロメチル-4-(E-((4-アセチルピペラジン-1-イル)カルボニル)エテニル)フェニル]スルフィド；
(2-エトキシフェニル)[2-トリフルオロメチル-4-(E-((4-(エトキシカルボニル)ピペラジン-1-イル)カルボニル)エテニル)フェニル]スルフィド；
(2-エトキシフェニル)[2-トリフルオロメチル-4-(E-((4-(2-フリルカルボニル)ピペラジン-1-イル)カルボニル)エテニル)フェニル]スルフィド；
(2-エトキシフェニル)[2-クロロ-4-(E-[(3-エトキシカルボニルピペリジン-1-イル)カルボニル]エテニル)フェニル]スルフィド；
(2-エトキシフェニル)[2-クロロ-4-(E-[(4-カルボキシピペリジン-1-イル)カルボニル]エテニル)フェニル]スルフィド；
(ベンゾジオキサン-6-イル)[2-クロロ-4-(E-((4-アセチルピペラジン-1-イル)カルボニル)エテニル)フェニル]スルフィド；
(2-イソプロピルフェニル)[2-ニトロ-4-(E-((4-エトキシカルボニルピペラジン-1-イル)カルボニル]エテニル)フェニル]スルフィド；
(2-イソプロピルフェニル)[2-ニトロ-4-(E-((4-イソプロポキシカルボニルピペラジン-1-イル)カルボニル)エテニル)フェニル]スルフィド；
(2-イソプロピルフェニル)[2-ニトロ-4-(E-((4-イソブトキシカルボニルピペラジン-1-イル)カルボニル)エテニル)フェニル]スルフィド；
(2-イソプロピルフェニル)[2-ニトロ-4-(E-((4-((1-プロペン-2-オキシ)カルボニル)ピペラジン-1-イル)カルボニル)エテニル)フェニル]スルフィド；
(2-イソプロピルフェニル)[2-ニトロ-4-(E-((4-プロピオニルピペラジン-1-イル)カルボニル)エテニル)フェニル]スルフィド；
(2-イソプロピルフェニル)[2-ニトロ-4-(E-((4-カルボキサミドピペラジン-1-イル)カルボニル)エテニル)フェニル]スルフィド；
(2-イソプロピルフェニル)[2-ニトロ-4-(E-((4-メチルアミノカルボニルピペラジン-1-イル)カルボニル)エテニル)フェニル]スルフィド；
(2-イソプロピルフェニル)[2-ニトロ-4-(E-((4-ピリミジン-2-イル)ピペラジン-1-イル)カルボニル)エテニル)フェニル]スルフィド；
(2-イソプロピルフェニル)[2-ニトロ-4-(E-((4-ヒドロキシアセチルピペラジン-1-イル)カルボニル)エテニル)フェニル]スルフィド；
(2-イソプロピルフェニル)[2-ニトロ-4-(E-((4-(ピラジン-2-カルボニル)ピペラジン-1-イル)カルボニル)エテニル)フェニル]スルフィド；
(2-イソプロピルフェニル)[2-トリフルオロメチル-4-(E-(((2-カルボキシピロル-3-イン-1-イル)カルボニル)エテニル)フェニル]スルフィド；
(2-イソプロピルフェニル)[2-ニトロ-4-(E-((3-ヒドロキシメチル-4-メチルピペリジン-1-イル)カルボニル)エテニル)フェニル]スルフィド；
(2-イソプロピルフェニル)[2-トリフルオロメチル-4-(E-(((2-カルボキシピロル-3-イン-1-イル)カルボニル)エテニル)フェニル]スルフィド；
(2-イソプロピルフェニル)[2-トリフルオロメチル-4-(E-(((2-ヒドロキシメチルピロリディン-1-イル)カルボニル)エテニル)フェニル]スルフィド；
(2-イソプロピルフェニル)[2-ニトロ-4-(E-((3-メチルアミノカルボニル)ピペラジン-1-イル)カルボニル)エテニル)フェニル]スルフィド；
(2-イソプロピルフェニル)[2-ニトロ-4-(E-(((3-シクロプロピルアミノカルボニル)ピペラジン-1-イル)カルボニル)エテニル)フェニル]スルフィド；
(2-イソプロピルフェニル)[2-ニトロ-4-(E-((3-カルボキサミドピペラジン-1-イル)カルボニル)エテニル)フェニル]スルフィド；
(2-イソプロピルフェニル)[2-ニトロ-4-(E-((3-カルボメトキシ-4-オキソピペリジン-1-イル)カルボニル)エテニル)フェニル]スルフィド；
(2-イソプロピルフェニル)[2-ニトロ-4-(E-((3,5-ジメチルピペラジン-1-イル)カルボニル)エテニル)フェニル]スルフィド；
(1-エチルインドール-7-イル)[2-クロロ-4-(E-((4-アセチルピペラジン-1-イル)カルボニル)エテニル)フェニル]スルフィド；
(3-[2-メトキシ]エトキシフェニル)[2-クロロ-4-(E-[(モルフォリン-1-イル)カルボニル]エテニル)フェニル]スルフィド；
(2-ブロモフェニル)[2-クロロ-4-(E-((4,4'-S-ジオキシチオモルフォリン-1-イル)カルボニル)エテニル)フェニル]スルフィド；
(2-ブロモフェニル)[2-クロロ-4-(E-(N-カルボメトキシメチル-N-(3-(ピロリディン-2-オン-1-イル)プロピ-1-イルアミノ)カルボニル)エテニル)フェニル]スルフィド；
(2-ブロモフェニル)[2-クロロ-4-(E-((4-S-オキソチオモルフォリン-1-イル)-2-ピロリジノン)カルボニル)エテニル)フェニル]スルフィド；
(2-メトキシ-5-クロロフェニル)[2-ニトロ-4-(E-((4-アセチルピペラジン-1-イル)カルボニル)エテニル)フェニル]スルフィド；
(2-イソプロピルフェニル)[2-ニトロ-4-(E-((3-アセトキシメチル)ピペラジン-1-イル)カルボニル)エテニル)フェニル]スルフィド；
(2-イソプロピルフェニル)[2-ニトロ-4-(E-((3,5-ジメチル-4-アセチルピペラジン-1-イル)カルボニル)エテニル)フェニル]スルフィド；
(1-メチルインドール-5-イル)[2-クロロ-4-(E-((4-アセチルピペラジン-1-イル)カルボニル)エテニル)フェニル]スルフィド；
(ベンゾジオキサン-6-イル)[2-ニトロ-4-(E-((4-アセチルピペラジン-1-イル)カルボニル)エテニル)フェニル]スルフィド；
(ベンゾジオキサン-6-イル)[2-ニトロ-4-(E-((3-(ピロリディン-2-オン-1-イル)プロパ-1-イルアミノ)カルボニル)エテニル)フェニル]スルフィド；
(ベンゾジオキサン-6-イル)[2-ニトロ-4-(E-((3-カルボエトキシピペリディン-1-イル)カルボニル)エテニル)フェニル]スルフィド；
(ベンゾジオキサン-6-イル)[2-ニトロ-4-(E-((4-カルボエトキシピペリディン-1-イル)カルボニル)エテニル)フェニル]スルフィド；
(2-エトキシフェニル)[2-トリフルオロメチル-4-(Z-((4-アセチルピペラジン-1-イル)カルボニル)エテニル)フェニル]スルフィド；
(2-エトキシフェニル)[2-トリフルオロメチル-4-(E-((6-メチルピリド-2-イルアミノ)カルボニル)エテニル)フェニル]スルフィド；
(2-メチル-3-クロロフェニル)[2-ニトロ-4-(E-((4-アセチルピペラジン-1-イル)カルボニル)エテニル)フェニル]スルフィド；
(ベンゾジオキサン-6-イル)[2-ニトロ-4-(E-((3-カルボキサミドピペリジン-1-イル)カルボニル)エテニル)フェニル]スルフィド；
(ベンゾジオキサン-6-イル)[2-ニトロ-4-(E-((2-カルボエトキシピペリジン-1-イル)カルボニル)エテニル)フェニル]スルフィド；
(ベンゾジオキサン-6-イル)[2-ニトロ-4-(E-((4-カルボキサミドピペリジン-1-イル)カルボニル)エテニル)フェニル]スルフィド；
(ベンゾジオキサン-6-イル)[2-ニトロ-4-(E-((4-tert-ブトキシカルボニルピペラジン-1-イル)カルボニル)エテニル)フェニル]スルフィド；
(2-イソプロピルフェニル)[2-ニトロ-4-(E-((syn-3,5-ジメチルモルフォリン-1-イル)カルボニル)エテニル)フェニル]スルフィド；
(2-イソプロピルフェニル)[2-ニトロ-4-(E-((anti-3,5-ジメチルモルフォリン-1-イル)カルボニル)エテニル)フェニル]スルフィド；
(2-イソプロピルフェニル)[2-ニトロ-4-(E-((3-カルボエトキシピペラジン-1-イル)カルボニル)エテニル)フェニル]スルフィド；
(2-イソプロピルフェニル)[2-ニトロ-4-(E-((3-イソプロポキシカルボニルピペラジン-1-イル)カルボニル)エテニル)フェニル]スルフィド；
(2-イソプロピルフェニル)[2-ニトロ-4-(E-((3-(ジメチルアミノカルボニル)-4-メチルピペラジン-1-イル)カルボニル)エテニル)フェニル]スルフィド；
(2-イソプロピルフェニル)[2-ニトロ-4-(E-((3-カルボメトキシ-4-ヒドロキシピペリジン-1-イル)カルボニル)エテニル)フェニル]スルフィド；
(2-イソプロピルフェニル)[2-ニトロ-4-(E-((3-ヒドロキシメチル-4-ヒドロキシピペリジン-1-イル)カルボニル)エテニル)フェニル]スルフィド；
(2-エトキシフェニル)[2-トリフルオロメチル-4-(E-((2-カルボメトキシ-4-(メトキシカルボニル)ピペラジン-1-イル)カルボニル)エテニル)フェニル]スルフィド；
(2-エトキシフェニル)[2-トリフルオロメチル-4-(E-((2-カルボメトキシ-4-メチルピペラジン-1-イル)カルボニル)エテニル)フェニル]スルフィド；
(2-エトキシフェニル)[2-トリフルオロメチル-4-(E-((2-カルボキシ-4-(メトキシカルボニル)ピペラジン-1-イル)カルボニル)エテニル)フェニル]スルフィド；
(インドール-6-イル)[2-クロロ-4-(E-((4-アセチルピペラジン-1-イル)カルボニル)エテニル)フェニル]スルフィド；
(1-エチル、3-(ジメチルアミノメチル)インドール-7-イル)[2-クロロ-4-(E-((4-アセチルピペラジン-1-イル)カルボニル)エテニル)フェニル]スルフィド；
(5-エトキシベンゾジオキサン-6-イル)[2-クロロ-4-(E-((4-アセチルピペラジン-1-イル)カルボニル)エテニル)フェニル]スルフィド；
(2-エチル-4-ブロモフェニル)[2-ニトロ-4-(E-((4-アセチルピペラジン-1-イル)カルボニル)エテニル)フェニル]スルフィド；
(ベンゾジオキサン-6-イル)[2-ニトロ-4-(E-((2-カルボキシピペリディン-1-イル)カルボニル)エテニル)フェニル]スルフィド；
(ベンゾジオキサン-6-イル)[2-ニトロ-4-(E-((4-カルボキシメチルピペラジン-1-イル)カルボニル)エテニル)フェニル]スルフィド；
(3-モルフォリノフェニル)[2-ニトロ-4-(E-((4-アセチルピペラジン-1-イル)カルボニル)エテニル)フェニル]スルフィド；
(3-エトキシベンゾジオキサン-8-イル)[2-クロロ-4-(E-((4-アセチルピペラジン-1-イル)カルボニル)エテニル)フェニル]スルフィド；
(5-クロロ-8-エトキシキノリン-7-イル)[2-クロロ-4-(E-((4-アセチルピペラジン-1-イル)カルボニル)エテニル)フェニル]スルフィド；
(2-イソプロピルフェニル)[2-ニトロ-4-(E-((3-カルボエトキシピペリジン-1-イル)カルボニル)エテニル)フェニル]スルフィド；
(2-イソプロピルフェニル)[2-ニトロ-4-(E-((3-カルボキシピペリジン-1-イル)カルボニル)エテニル)フェニル]スルフィド；
(2-イソプロピルフェニル)[2-ニトロ-4-(E-(((3-エタンスルホニルアミノカルボニル)ピペリジン-1-イル)カルボニル)エテニル)フェニル]スルフィド；
(2-イソプロピルフェニル)[2-ニトロ-4-(E-(((3-(4-メチルピペラジン)スルホニルアミノカルボニル)ピペリジン-1-イル)カルボニル)エテニル)フェニル]スルフィド；
(2-イソプロピルフェニル)[2-ニトロ-4-(E-(((3-p-トルエンスルホニルアミノカルボニル)ピペリジン-1-イル)カルボニル)エテニル)フェニル]スルフィド；
(2-イソプロピルフェニル)[2-ニトロ-4-(E-((3-メチル-4-アセチルピペラジン-1-イル)カルボニル)エテニル)フェニル]スルフィド；
(2-ヒドロキシフェニル)[2-クロロ-4-(E-[(モルフォリン-1-イル)カルボニル]エテニル)フェニル]スルフィド；
(1-(カルボキシメチル)インドール-5-イル)[2-クロロ-4-(E-((4-アセチルピペラジン-1-イル)カルボニル)エテニル)フェニル]スルフィド；
(ベンゾジオキサン-6-イル)[2-トリフルオロメチル-4-(E-((4-アセチルピペラジン-1-イル)カルボニル)エテニル)フェニル]スルフィド；
(2-イソプロピルフェニル)[2-ニトロ-4-(E-((3-(1-ピロリディン-2-オニル)プロパ-1-イルアミノ)カルボニル)エテニル)フェニル]スルフィド；
(3-(2-モルフォリノエチルアミノ)フェニル)[2-トリフルオロメチル-4-(E-((4-アセチルピペラジン-1-イル)カルボニル)エテニル)フェニル]スルフィド；
(2-ピロリディン-1-イルフェニル)[2-ニトロ-4-(E-((4-アセチルピペラジン-1-イル)カルボニル)エテニル)フェニル]スルフィド；
(3-ブロモフェニル)[2-ニトロ-4-(E-((3-カルボエトキシピロリディン-1-イル)カルボニル)エテニル)フェニル]スルフィド；
(3-ブロモフェニル)[2-ニトロ-4-(E-((4-カルボエトキシピロリディン-1-イル)カルボニル)エテニル)フェニル]スルフィド；
(2-(ヒドロキシメチル)-ベンゾジオキサン-6-イル)[2-クロロ-4-(E-((4-アセチルピペラジン-1-イル)カルボニル)エテニル)フェニル]スルフィド；
(ベンゾジオキサン-6-イル)[2-トリフルオロメチル-4-(E-((3-(ピロリディン-2-オン-1-イル)プロパ-1-イルアミノ)カルボニル)エテニル)フェニル]スルフィド；
(3-(ジメチルアミノメチル)インドール-5-イル)[2-クロロ-4-(E-((4-アセチルピペラジン-1-イル)カルボニル)エテニル)フェニル]スルフィド；
(2-イソプロピルフェニル)[2-ニトロ-4-(E-((2-カルボエトキシピペリジン-1-イル)カルボニル)エテニル)フェニル]スルフィド；
(2-イソプロピルフェニル)[2-ニトロ-4-(E-((2-カルボキシピペリジン-1-イル)カルボニル)エテニル)フェニル]スルフィド；
(2-イソプロピルフェニル)[2-ニトロ-4-(E-((4-カルボエトキシピペリジン-1-イル)カルボニル)エテニル)フェニル]スルフィド；
(2-イソプロピルフェニル)[2-ニトロ-4-(E-((4-カルボキシピペリジン-1-イル)カルボニル)エテニル)フェニル]スルフィド；
(2-イソプロピルフェニル)[2-ニトロ-4-(E-(((4-p-トルエンスルフォニルアミノカルボニル)ピペリジン-1-イル)カルボニル)エテニル)フェニル]スルフィド；
(2-イソプロピルフェニル)[2-ニトロ-4-(E-((3-カルボキシ-4-ヒドロキシピペリジン-1-イル)カルボニル)エテニル)フェニル]スルフィド；
(ベンゾジオキサン-6-イル)[2-トリフルオロメチル-4-(E-((3-カルボエトキシピペリジン-1-イル)カルボニル)エテニル)フェニル]スルフィド；
(ベンゾジオキサン-6-イル)[2-トリフルオロメチル-4-(E-((2-カルボエトキシピペリジン-1-イル)カルボニル)エテニル)フェニル]スルフィド；
(ベンゾジオキサン-6-イル)[2-ニトロ-4-(E-((4-カルボキシピペリジン-1-イル)カルボニル)エテニル)フェニル]スルフィド；
(ベンゾジオキサン-6-イル)[2-トリフルオロメチル-4-(E-((3-カルボキシピロリディン-1-イル)カルボニル)エテニル)フェニル]スルフィド；
(ベンゾジオキサン-6-イル)[2-トリフルオロメチル-4-(E-((4-カルボエトキシピペリディン-1-イル)カルボニル)エテニル)フェニル]スルフィド；
(ベンゾジオキサン-6-イル)[2-トリフルオロメチル-4-(E-((2-カルボメトキシ-4-tert-ブトキシカルボニルピペラジン-1-イル)カルボニル)エテニル)フェニル]スルフィド；
(ベンゾジオキサン-6-イル)[2-トリフルオロメチル-4-(E-((2-カルボメトキシ-4-メトキシカルボニルピペラジン-1-イル)カルボニル)エテニル)フェニル]スルフィド；
(ベンゾジオキサン-6-イル)[2-トリフルオロメチル-4-(E-((2-カルボメトキシピペラジン-1-イル)カルボニル)エテニル)フェニル]スルフィド；
(2-メチル-3-(カルボエトキシメチル)インドール-5-イル)[2-トリフルオロメチル-4-(E-((モルフォリン-1-イル)カルボニル)エテニル)フェニル]スルフィド；
(1-(2-メトキシエチル)インドール-5-イル)[2-クロロ-4-(E-((4-アセチルピペラジン-1-イル)カルボニル)エテニル)フェニル]スルフィド；
(2-イソプロピルフェニル)[2-ニトロ-4-(E-((3-アセトキシメチル-4-ヒドロキシピペリディン-1-イル)カルボニル)エテニル)フェニル]スルフィド；
(2-イソプロピルフェニル)[2-ニトロ-4-(E-((3-(ジメチルアミノカルボニル)-4-ヒドロキシピペリディン-1-イル)カルボニル)エテニル)フェニル]スルフィド；
(2-イソプロピルフェニル)[2-ニトロ-4-(E-((3-シアノモルフィリン-1-イル)カルボニル)エテニル)フェニル]スルフィド；
(2-イソプロピルフェニル)[2-ニトロ-4-(E-((3-カルボエトキシモルフォリン-1-イル)カルボニル)エテニル)フェニル]スルフィド；
(2-イソプロピルフェニル)[2-ニトロ-4-(E-((3-(テトラゾール-5-イル)モルフォリン-1-イル)カルボニル)エテニル)フェニル]スルフィド；
(ベンゾジオキサン-6-イル)[2-トリフルオロメチル-4-(E-((4-カルボキシピペリディン-1-イル)カルボニル)エテニル)フェニル]スルフィド；
(ベンゾジオキサン-6-イル)[2-トリフルオロメチル-4-(E-((2-カルボキシピペリディン-1-イル)カルボニル)エテニル)フェニル]スルフィド；
(ベンゾジオキサン-6-イル)[2-トリフルオロメチル-4-(E-((4-カルボメトキシピペリディン-1-イル)カルボニル)エテニル)フェニル]スルフィド；
(ベンゾジオキサン-6-イル)[2-トリフルオロメチル-4-(E-((3-アザ-6,9-ジオオキサスピロ[5,4]デカン-1-イル)カルボニル)エテニル)フェニル]スルフィド；
(ベンゾジオキサン-6-イル)[2-トリフルオロ-4-(E-((4-(ベンズイミダゾロン-1-イル)ピペリディン-1-イル)カルボニル)エテニル)フェニル]スルフィド；
(ベンゾジオキサン-6-イル)[2-トリフルオロメチル-4-(E-((4-(メチルアミノカルボニル)ピペリディン-1-イル)カルボニル)エテニル)フェニル]スルフィド；
(ベンゾジオキサン-6-イル)[2-トリフルオロメチル-4-(E-((3-カルボメトキシ-4-メトキシカルボニルピペラジン-1-イル)カルボニル)エテニル)フェニル]スルフィド；
(2-イソプロピルフェニル)[2-ニトロ-4-(E-((3-カルボキシモルフォリン-1-イル)カルボニル)エテニル)フェニル]スルフィド；
(ベンゾジオキサン-6-イル)[2-トリフルオロメチル-4-(E-((2-カルボキシ-4-メトキシカルボニルピペラジン-1-イル)カルボニル)エテニル)フェニル]スルフィド；
(ベンゾジオキサン-6-イル)[2-トリフルオロメチル-4-(E-((モルフォリン-1-イル)カルボニル)エテニル)フェニル]スルフィド；
(ベンゾジオキサン-6-イル)[2-トリフルオロメチル-4-(E-((4-(ピロリディン-1-イル)ピペリディン-1-イル)カルボニル)エテニル)フェニル]スルフィド；
(2-イソプロピルフェニル)[2-ニトロ-4-(E-((3-アザ-6,9-ジオオキサスピロ[5,4]デカン-1-イル)カルボニル)エテニル)フェニル]スルフィド；
(2-イソプロピルフェニル)[2-ニトロ-4-(E-((2-(ジメチルアミノメチル)ピペリジン-1-イル)カルボニル)エテニル)フェニル]スルフィド；
(2-イソプロピルフェニル)[2-ニトロ-4-(E-((ピペリジン-1-イルアミノ)カルボニル)エテニル)フェニル]スルフィド；
(ベンゾジオキサン-6-イル)[2-トリフルオロメチル-4-(E-((3-カルボキシ-4-メトキシカルボニルピペラジン-1-イル)カルボニル)エテニル)フェニル]スルフィド；
(2-(ジメチルアミノカルボニル)-ベンゾジオキサン-6-イル)[2-クロロ-4-(E-((4-アセチルピペラジン-1-イル)カルボニル)エテニル)フェニル]スルフィド；
(2-イソプロピルフェニル)[2-ニトロ-4-(E-((3-(2-(メトキシメチル)テトラゾール-5-イル)ピペリディン-1-イル)カルボニル)エテニル)フェニル]スルフィド；
(2-イソプロピルフェニル)[2-ニトロ-4-(E-((3-(1-(メトキシメチル)テトラゾール-5-イル)ピペリディン-1-イル)カルボニル)エテニル)フェニル]スルフィド；
(1-メチルインドール-5-イル)[2-クロロ-4-(E-((3-(1-ピロリディン-2-オニル)プロピルアミノ)カルボニル)エテニル)フェニル]スルフィド；
(2-イソプロピルフェニル)[2-ニトロ-4-(E-((3-(テトラゾール-5-イル)ピペリディン-1-イル)カルボニル)エテニル)フェニル]スルフィド；
(1-メチルインドール-5-イル)[2-クロロ-4-(E-((3-カルボエトキシピペリディン-1-イル)カルボニル)エテニル)フェニル]スルフィド；
(1-メチルインドール-5-イル)[2-クロロ-4-(E-((3-カルボキシピペリディン-1-イル)カルボニル)エテニル)フェニル]スルフィド；
(1-メチルインドール-5-イル)[2-クロロ-4-(E-((4-カルボエトキシピペリディン-1-イル)カルボニル)エテニル)フェニル]スルフィド；
(1-メチルインドール-5-イル)[2-クロロ-4-(E-((3-カルボキシピペリディン-1-イル)カルボニル)エテニル)フェニル]スルフィド；
(2-イソプロピルフェニル)[2-ニトロ-4-(E-((2-(1-メチルピロリディン-2-イル)エチルアミノ)カルボニル)エテニル)フェニル]スルフィド；
(2-イソプロピルフェニル)[2-ニトロ-4-(E-((4-(ピロリディン-1-イル)ピペリディン-1-イル)カルボニル)エテニル)フェニル]スルフィド；
(2-イソプロピルフェニル)[2-ニトロ-4-(E-((4-(スルホピペリディン-1-イル)カルボニル)エテニル)フェニル]スルフィド；
(2-イソプロピルフェニル)[2-ニトロ-4-(E-((3-(ヒドロキシピロリディン-1-イル)カルボニル)エテニル)フェニル]スルフィド；
(ベンゾジオキサン-6-イル)[2-トリフルオロメチル-4-(E-((3-((エタンスルホニルアミノ)カルボニル)ピペリディン-1-イル)カルボニル)エテニル)フェニル]スルフィド；
(ベンゾジオキサン-6-イル)[2-トリフルオロメチル-4-(E-((3-((p-トルエンスルホニルアミノ)カルボニル)ピペリディン-1-イル)カルボニル)エテニル)フェニル]スルフィド；
(ベンゾジオキサン-6-イル)[2-トリフルオロメチル-4-(E-((4-((エタンスルホニルアミノ)カルボニル)ピペリディン-1-イル)カルボニル)エテニル)フェニル]スルフィド；
(ベンゾジオキサン-6-イル)[2-トリフルオロメチル-4-(E-((2(テトラゾール-5-イル)モルフォリン-1-イル)カルボニル)エテニル)フェニル]スルフィド；
(2-イソプロピルフェニル)[2-ニトロ-4-(E-((2-ブチル, 5-(テトラゾール-5-イル)モルフォリン-1-イル)カルボニル)エテニル)フェニル]スルフィド；
(2-(および3-(ヒドロキシメチル)-ベンゾジオキサン-6-イル)[2-ニトロ-4-(E-((4-アセチルピペラジン-1-イル)カルボニル)エテニル)フェニル]スルフィド；
(2-(および3-(ヒドロキシメチル)-ベンゾジオキサン-6-イル)[2-ニトロ-4-(E-((3-(ピロリディン-2-オン-1-イル)プロパ-1-イルアミノ)カルボニル)エテニル)フェニル]スルフィド；
(2-(および3-(ヒドロキシメチル)-ベンゾジオキサン-6-イル)[2-トリフルオロメチル-4-(E-((3-(ピロリディン-2-オン-1-イル)プロパ-1-イルアミノ)カルボニル)エテニル)フェニル]スルフィド；
(3-ヒドロキシメチル)-ベンゾジオキサン-6-イル)[2-ニトロ-4-(E-((3-(ピロリディン-2-オン-1-イル)プロパ-1-イルアミノ)カルボニル)エテニル)フェニル]スルフィド；
(ベンゾジオキサン-6-イル)[2-クロロ-4-(E-((カルボキシピペリディン-1-イル)カルボニル)エテニル)フェニル]スルフィド；
(2-(および3-)(アミノメチル)-ベンゾジオキサン-6-イル)[2-トリフルオロメチル-4-(E-((3-(ピロリディン-2-オン-1-イル)プロパ-1-イルアミノ)カルボニル)エテニル)フェニル]スルフィド；
(2-イソプロピルフェニル)[2-ニトロ-4-(E-((3-(メチルアミノカルボニル)モルフォリン-1-イル)カルボニル)エテニル)フェニル]スルフィド；
(2-イソプロピルフェニル)[2-ニトロ-4-(E-((3-(ヒドロキシメチル)モルフォリン-1-イル)カルボニル)エテニル)フェニル]スルフィド；
(2-イソプロピルフェニル)[2-ニトロ-4-(E-((3-(アセトキシメチル)モルフォリン-1-イル)カルボニル)エテニル)フェニル]スルフィド；
(2-イソプロピルフェニル)[2-ニトロ-4-(E-((3-(アミノメチル)モルフォリン-1-イル)カルボニル)エテニル)フェニル]スルフィド；
(2-イソプロピルフェニル)[2-ニトロ-4-(E-((3-(アセタミドメチル)モルフォリン-1-イル)カルボニル)エテニル)フェニル]スルフィド；
(ベンゾジオキサン-6-イル)[2-クロロ-4-(E-((3-(ピロリディン-2-オン-1-イル)プロパ-1-イルアミノ)カルボニル)エテニル)フェニル]スルフィド；
(ベンゾジオキサン-6-イル)[2-クロロ-4-(E-((3-カルボエトキシピペリジン-1-イル)カルボニル)エテニル)フェニル]スルフィド；
(ベンゾジオキサン-6-イル)[2-クロロ-4-(E-((2-カルボエトキシピペリジン-1-イル)カルボニル)エテニル)フェニル]スルフィド；
(2-メトキシフェニル)[2,3-ジクロロ-4-(E-[(モルフォリン-1-イル)カルボニル]エテニル)フェニル]スルフィド；
(2-メトキシフェニル)[2,3-ジメチル-4-(E-[(モルフォリン-1-イル)カルボニル]エテニル)フェニル]スルフィド；
(2-イソプロピルフェニル)[2-ニトロ-4-(E-((インドール-5-イルアミノ)カルボニル)エテニル)フェニル]スルフィド；
(ベンゾジオキサン-6-イル)[2-クロロ-4-(E-((3-カルボキシピペリディン-1-イル)カルボニル)エテニル)フェニル]スルフィド；
(ベンゾジオキサン-6-イル)[2-クロロ-4-(E-((3-(テトラゾール-5-イル)ピペリディン-1-イル)カルボニル)エテニル)フェニル]スルフィド；
(ベンゾジオキサン-6-イル)[2-クロロ-4-(E-((4-(tert-ブトキシカルボニル)ピペラジン-1-イル)カルボニル)エテニル)フェニル]スルフィド；
(ベンゾジオキサン-6-イル)[2-クロロ-4-(E-((2-カルボキシピペリディン-1-イル)カルボニル)エテニル)フェニル]スルフィド；
(ベンゾジオキサン-6-イル)[2-クロロ-4-(E-((3-(テトラゾール-5-イル)モルフォリン-1-イル)カルボニル)エテニル)フェニル]スルフィド；
(ベンゾジオキサン-6-イル)[2-クロロ-4-(E-((4-(メチルアミノカルボニル)ピペラジン-1-イル)カルボニル)エテニル)フェニル]スルフィド；
(2-メトキシフェニル)[2,3-ジクロロ-4-(E-[(4-カルボキシピペリディン-1-イル)カルボニル]エテニル)フェニル]スルフィド；
(ベンゾジオキサン-6-イル)[2-クロロ-4-(E-((4-(テトラゾール-5-イル)ピペリディン-1-イル)カルボニル)エテニル)フェニル]スルフィド；
(2-メトキシフェニル)[3-クロロ-4-(E-[(モルフォリン-1-イル)カルボニル]エテニル)フェニル]スルフィド；
(2-イソプロピルフェニル)[2-ニトロ-4-(E-((4-オキソピペリディン-1-イル)カルボニル)エテニル)フェニル]スルフィド；
(ベンゾジオキサン-6-イル)[2-トリフルオロメチル-4-(E-((3-R-カルボエトキシピペリディン-1-イル)カルボニル)エテニル)フェニル]スルフィド；
(ベンゾジオキサン-6-イル)[2-トリフルオロメチル-4-(E-((3-R-カルボキシピペリディン-1-イル)カルボニル)エテニル)フェニル]スルフィド；
(ベンゾジオキサン-6-イル)[2,3-ジクロロ-4-(E-((3-(ピロリディン-2-オン-1-イル)プロパ-1-イルアミノ)カルボニル)エテニル)フェニル]スルフィド；
(ベンゾジオキサン-6-イル)[2,3-ジクロロ-4-(E-((4-アセチルピペラジン-1-イル)カルボニル)エテニル)フェニル]スルフィド；
(ベンゾジオキサン-6-イル)[2,3-ジクロロ-4-(E-((3-カルボエトキシピペリジン-1-イル)カルボニル)エテニル)フェニル]スルフィド；
(ベンゾジオキサン-6-イル)[2,3-ジクロロ-4-(E-((4-カルボエトキシピペリジン-1-イル)カルボニル)エテニル)フェニル]スルフィド；
(ベンゾジオキサン-6-イル)[2,3-ジクロロ-4-(E-((3-カルボキシピペリジン-1-イル)カルボニル)エテニル)フェニル]スルフィド；
(ベンゾジオキサン-6-イル)[2,3-ジクロロ-4-(E-((4-カルボキシピペリジン-1-イル)カルボニル)エテニル)フェニル]スルフィド；
(2-イソプロピルフェニル)[2,3-ジクロロ-4-(E-((3-(1-ピロリディン-2-オニル)プロピルアミノ)カルボニル)エテニル)フェニル]スルフィド；
(2-イソプロピルフェニル)[2,3-ジクロロ-4-(E-((4-アセチルピペラジン-1-イル)カルボニル)エテニル)フェニル]スルフィド；
(2-イソプロピルフェニル)[2,3-ジクロロ-4-(E-((3-カルボエトキシピペリジン-1-イル)カルボニル)エテニル)フェニル]スルフィド；
(2-イソプロピルフェニル)[2,3-ジクロロ-4-(E-((4-カルボエトキシピペリジン-1-イル)カルボニル)エテニル)フェニル]スルフィド；
(2-イソプロピルフェニル)[2,3-ジクロロ-4-(E-((3-カルボキシピペリジン-1-イル)カルボニル)エテニル)フェニル]スルフィド；
(2-イソプロピルフェニル)[2,3-ジクロロ-4-(E-((4-カルボキシピペリジン-1-イル)カルボニル)エテニル)フェニル]スルフィド；
(1-メチルインドール-5-イル)[2,3-ジクロロ-4-(E-((3-カルボエトキシピペリジン-1-イル)カルボニル)エテニル)フェニル]スルフィド；
(1-メチルインドール-5-イル)[2,3-ジクロロ-4-(E-((3-カルボキシピペリジン-1-イル)カルボニル)エテニル)フェニル]スルフィド；
(1-メチルインドール-5-イル)[2,3-ジクロロ-4-(E-((4-カルボエトキシピペリジン-1-イル)カルボニル)エテニル)フェニル]スルフィド；
(1-メチルインドール-5-イル)[2,3-ジクロロ-4-(E-((4-カルボキシピペリジン-1-イル)カルボニル)エテニル)フェニル]スルフィド；
(2-エトキシフェニル)[2,3-ジクロロ-4-(E-[(4-カルボキシピペリジン-1-イル)カルボニル]エテニル)フェニル]スルフィド；
(2-エトキシフェニル)[2,3-ジクロロ-4-(E-[(モルフォリン-1-イル)カルボニル]エテニル)フェニル]スルフィド；
(2-エトキシフェニル)[2,3-ジクロロ-4-(E-[(3-カルボキシピペリディン-1-イル)カルボニル]エテニル)フェニル]スルフィド；
(2-イソプロピルフェニル)[2-ニトロ-4-(E-((3-カルボエトキシピロリジン-1-イル)カルボニル)エテニル)フェニル]スルフィド；
(2-イソプロピルフェニル)[2-ニトロ-4-(E-((3-カルボキシピロリジン-1-イル)カルボニル)エテニル)フェニル]スルフィド；
(2-イソプロピルフェニル)[2,3-ジフルオロ-4-(E-((3-カルボエトキシピペリジン-1-イル)カルボニル)エテニル)フェニル]スルフィド；
(2-イソプロピルフェニル)[2,3-ジフルオロ-4-(E-((3-カルボキシピペリジン-1-イル)カルボニル)エテニル)フェニル]スルフィド；
(2-イソプロピルフェニル)[2,3-ジフルオロ-4-(E-((4-カルボキシピペリジン-1-イル)カルボニル)エテニル)フェニル]スルフィド；
(ベンゾジオキサン-6-イル)[2-トリフルオロメチル-4-(E-((3-エトキシカルボニルピロリディン-1-イル)カルボニル)エテニル)フェニル]スルフィド；
(ベンゾジオキサン-6-イル)[2-トリフルオロメチル-4-(E-((3-カルボキシピロリディン-1-イル)カルボニル)エテニル)フェニル]スルフィド；
(2-メトキシフェニル)[2-クロロ-3-トリフルオロメチル-4-(E-((4-カルボエトキシピペリジン-1-イル)カルボニル)エテニル)フェニル]スルフィド；
(2-メトキシフェニル)[2-クロロ-3-トリフルオロメチル-4-(E-((4-カルボエトキシピペリジン-1-イル)カルボニル)エテニル)フェニル]スルフィド；
(2-メトキシフェニル)[2-クロロ-3-トリフルオロメチル-4-(E-((モルフォリン-1-イル)カルボニル)エテニル)フェニル]スルフィド；
(ベンゾジオキサン-6-イル)[4-(E-((4-カルボキシピペリディン-1-イル)カルボニル)エテニル)ナフチル]スルフィド；
(2-メトキシフェニル)[2,3-ジクロロ-4-(E-((4-(スピロ-ハイダントイン-5-イル)-ピペリディン-1-イル)カルボニル)エテニル)フェニル]スルフィド；
(2-メトキシフェニル)[2,3-ジクロロ-4-(E-(4-(2-(2-ヒドロキシエトキシ)エチル)ピペラジン-1-イル)カルボニル)エテニル)フェニル]スルフィド；
(2-メトキシフェニル)[2,3-ジクロロ-4-(E-((4-エチルピペラジン-1-イル)カルボニル)エテニル)フェニル]スルフィド；
(2-イソプロピルフェニル)[2,3-ジクロロ-4-(E-((4-(2-(2-ヒドロキシエトキシ)エチル)ピペラジン-1-イル)カルボニル)エテニル)フェニル]スルフィド；
(ベンゾジオキサン-6-イル)[2,3-ビス(トリフルオロメチル)-4-(E-((4-カルボキシピペリディン-1-イル)カルボニル)エテニル)フェニル]スルフィド；
(2-メトキシフェニル)[2,3-ジクロロ-4-(E-((4-(カルボキシメチルアミノ)カルボニル-ピペリディン-1-イル)カルボニル)エテニル)フェニル]スルフィド；
(2-メトキシフェニル)[2,3-ビス(トリフルオロメチル)-4-(E-((4-カルボキシメチルピペラジン-1-イル)カルボニル)エテニル)フェニル]スルフィド；
(2-メトキシフェニル)[2,3-ビス(トリフルオロメチル)-4-(E-((4-N-(2-ヒドロキシエチル)ピペラジン-1-イル)カルボニル)エテニル)フェニル]スルフィド；
(1-メチルインドール-5-イル)[2,3-ジクロロ-4-(E-((4-(カルボ-2,3-ジヒドロキシプロピルアミノ)ピペリディン-1-イル)カルボニル)エテニル)フェニル]スルフィド；
(2-メトキシフェニル)[2,3-ジクロロ-4-(E-(4-(2,3-ジヒドロキシプロピオニル)ピペラジン-1-イル)カルボニル)エテニル)フェニル]スルフィド；
(2-メトキシフェニル)[2,3-ジクロロ-4-(E-(4-(2,3-ジヒドロキシ-3-カルボキシプロピオニル)ピペラジン-1-イル)カルボニル)エテニル)フェニル]スルフィド；
(1-メチルインドール-5-イル)[2,3-ジクロロ-4-(E-((4-(カルボキシメチルアミノ)カルボニル-ピペリディン-1-イル)カルボニル)エテニル)フェニル]スルフィド；
(1-メチルインドール-5-イル)[2,3-ジクロロ-4-(E-((4-(スルホピペリディン-1-イル)カルボニル)エテニル)フェニル]スルフィド；
(1-メチルインドール-5-イル)[2,3-ジクロロ-4-(E-(4-メチルホモピペラジン-1-イルカルボニル)エテニル)フェニル]スルフィド；
(1-メチルインドール-5-イル)[2,3-ジクロロ-4-(E-(4-テトロヒドロフロイルピペラジン-1-イル)カルボニル)エテニル)フェニル]スルフィド；
(2-メトキシフェニル)[2,3-ジクロロ-4-(E-((4-アミノ-4-カルボキシピペリジン-1-イル)カルボニル)エテニル)フェニル]スルフィド；
(2-メトキシフェニル)[2,3-ジクロロ-4-((4-フロイルピペラジン-1-イル)カルボニル)エテニル)フェニル]スルフィド；
(1-メチルインドール-5-イル)[2,3-ジクロロ-4-(E-(4-(カルボ-3-スルホプロピルアミノ)ピペラジン-1-イル)カルボニル)エテニル)フェニル]スルフィド；
(2-メトキシフェニル)[2,3-ジクロロ-4-(E-(4-アセチルアミノ-4-カルボキシピペリディン-1-イルカルボニル)エテニル)フェニル]スルフィド；
(2-メトキシフェニル)[2,3-ビス(トリフルオロメチル)-4-(E-((4-カルボキシピペリディン-1-イルカルボニル)エテニル)フェニル]スルフィド；
(2-メトキシフェニル)5-[8-(E-((4-アミノカルボニル)ピペリディン-1-イル)カルボニル)エテニル)キノリニル]スルフィド；
(2-メトキシフェニル)[2-トリフルオロメチル-4-(E-((4-カルボキシピペリディン-1-イル)カルボニル)エテニル)フェニル]スルフィド；
(1-メチルインドール-5-イル)[2,3-ジクロロ-4-(E/Z-((1S,4S)-2,5-ジアザビシクロ(2,2,1)ヘプタン-2-イルカルボニル)エテニル)-2,3-ジクロロフェニル]スルフィド；
(1-メチルインドール-5-イル)[2,3-ジクロロ-4-(E-(4-ヒドロキシ-3-カルボキシピペラディン-1-イルカルボニル)エテニル)フェニル]スルフィド；
(1-メチルインドール-5-イル)[2,3-ジクロロ-4-(E-(S-オキソチオモルフォリン-1-イルカルボニル)エテニル)フェニル]スルフィド；
(2-メトキシフェニル)[2,3-ジクロロ-4-(E-((4-スルホフェニルアミノ)カルボニル)エテニル)フェニル]スルフィド；
(2-メトキシフェニル)[2,3-ジクロロ-4-(E-((4-カルボキシフェニルアミノ)カルボニル)エテニル)フェニル]スルフィド；および [3-(4-モルフォリノ)フェニル][2,3-ジクロロ-4-(E-[(4-カルボキシピペリディン-1-イル)カルボニル]エテニル)フェニル]スルフィド
からなるグループから選択される請求項１に記載の化合物。
【請求項１３】
前記化合物が、
(2-ホルミルフェニル)[2-ニトロ-4-(E-((4-アセチルピペラジン-1-イル)カルボニル)エテニル)フェニル]スルフィド；
(2-エトキシフェニル)[2-クロロ-4-(E-[(モルフォリン-1-イル)カルボニル]エテニル)フェニル]スルフィド；
(2-イソプロピルフェニル)[2-ニトロ-4-(E-((3-ジメチルアミノカルボニル-4-アセチルピペラジン-1-イル)カルボニル)エテニル)フェニル]スルフィド；
(2-イソプロピルフェニル)[2-ニトロ-4-(E-((4-メトキシカルボニルピペラジン-1-イル)カルボニル)エテニル)フェニル]スルフィド；
(2-エトキシフェニル)[2-トリフルオロメチル-4-(E-((2-カルボキシ-4-(メトキシカルボニル)ピペラジン-1-イル)カルボニル)エテニル)フェニル]スルフィド；
(2-エチル-4-ブロモフェニル)[2-ニトロ-4-(E-((4-アセチルピペラジン-1-イル)カルボニル)エテニル)フェニル]スルフィド；
(3-モルフォリノフェニル)[2-ニトロ-4-(E-((4-アセチルピペラジン-1-イル)カルボニル)エテニル)フェニル]スルフィド；
(2-イソプロピルフェニル)[2-ニトロ-4-(E-((3-カルボエトキシピペリジン-1-イル)カルボニル)エテニル)フェニル]スルフィド；
(2-イソプロピルフェニル)[2-ニトロ-4-(E-((3-(1-ピロリディン-2-オニル)プロパ-1-イルアミノ)カルボニル)エテニル)フェニル]スルフィド；
(2-(ヒドロキシメチル)-ベンゾジオキサン-6-イル)[2-クロロ-4-(E-((4-アセチルピペラジン-1-イル)カルボニル)エテニル)フェニル]スルフィド；
(ベンゾジオキサン-6-イル)[2-トリフルオロメチル-4-(E-((3-カルボキシピロリディン-1-イル)カルボニル)エテニル)フェニル]スルフィド；
(ベンゾジオキサン-6-イル)[2-トリフルオロメチル-4-(E-((4-カルボエトキシピペリディン-1-イル)カルボニル)エテニル)フェニル]スルフィド；
(ベンゾジオキサン-6-イル)[2-トリフルオロメチル-4-(E-((2-カルボメトキシ-4-メトキシカルボニルピペラジン-1-イル)カルボニル)エテニル)フェニル]スルフィド；
(ベンゾジオキサン-6-イル)[2-トリフルオロメチル-4-(E-((2-カルボメトキシピペラジン-1-イル)カルボニル)エテニル)フェニル]スルフィド；
(ベンゾジオキサン-6-イル)[2-クロロ-4-(E-((4-メチルアミノカルボニル)ピペラジン-1-イル)カルボニル)エテニル)フェニル]スルフィド；
(2-メトキシフェニル)[2,3-ジクロロ-4-(E-[(4-カルボキシピペリディン-1-イル)カルボニル]エテニル)フェニル]スルフィド；
(ベンゾジオキサン-6-イル)[2-トリフルオロメチル-4-(E-((3-R-カルボエトキシピペリジン-1-イル)カルボニル)エテニル)フェニル]スルフィド；
(ベンゾジオキサン-6-イル)[2,3-ジクロロ-4-(E-((3-(ピロリディン-2-オン-1-イル)プロパ-1-イルアミノ)カルボニル)エテニル)フェニル]スルフィド；
(ベンゾジオキサン-6-イル)[2,3-ジクロロ-4-(E-((4-アセチルピペラジン-1-イル)カルボニル)エテニル)フェニル]スルフィド；
(ベンゾジオキサン-6-イル)[2,3-ジクロロ-4-(E-((3-カルボエトキシピペリジン-1-イル)カルボニル)エテニル)フェニル]スルフィド；
(ベンゾジオキサン-6-イル)[2,3-ジクロロ-4-(E-((4-カルボエトキシピペリジン-1-イル)カルボニル)エテニル)フェニル]スルフィド；
(ベンゾジオキサン-6-イル)[2,3-ジクロロ-4-(E-((3-カルボキシピペリジン-1-イル)カルボニル)エテニル)フェニル]スルフィド；
(ベンゾジオキサン-6-イル)[2,3-ジクロロ-4-(E-((4-カルボキシピペリジン-1-イル)カルボニル)エテニル)フェニル]スルフィド；
(2-イソプロピルフェニル)[2,3-ジクロロ-4-(E-((4-アセチルピペラジン-1-イル)カルボニル)エテニル)フェニル]スルフィド；
(2-イソプロピルフェニル)[2,3-ジクロロ-4-(E-((3-カルボエトキシピペリジン-1-イル)カルボニル)エテニル)フェニル]スルフィド；
(2-イソプロピルフェニル)[2,3-ジクロロ-4-(E-((3-カルボキシピペリジン-1-イル)カルボニル)エテニル)フェニル]スルフィド；
(2-イソプロピルフェニル)[2,3-ジクロロ-4-(E-((4-カルボキシピペリジン-1-イル)カルボニル)エテニル)フェニル]スルフィド；
(2-メトキシフェニル)[2,3-ジクロロ-4-(E-((4-(カルボキシメチルアミノ)カルボニル-ピペリジン-1-イル)カルボニル)エテニル)フェニル]スルフィド；
(2-メトキシフェニル)[2,3-ビス(トリフルオロメチル)-4-(E-((4-カルボキシメチルピペラジン-1-イル)カルボニル)エテニル)フェニル]スルフィド；および
(2-メトキシフェニル)[2,3-ビス(トリフルオロメチル)-4-(E-((4-N-(2-ヒドロキシエチル)ピペラジン-1-イル)カルボニル)エテニル)フェニル]スルフィド
からなるグループから選択される請求項１に記載の化合物。
【請求項１４】
前記Arが、メトキシフェニルおよびイソプロピルフェニルからなるグループから選択される請求項１に記載の化合物。
【請求項１５】
前記Arが、ベンゾジオキサンまたは置換ベンゾジオキサンである請求項１に記載の化合物。
【請求項１６】
前記R3が、「トランス−シンナミド」であり、また、前記Arが、1,3-ベンズイミダゾール-2-オン、1,4-ベンゾジオキサン、1,3-ベンゾジオキソール、1-ベンゾピル-2-エン-4-オン、インドール、イサティン、フェニル、1,3-キナゾリン-4-オンおよびキノリンからなるグループから選択される請求項１に記載の化合物。
【請求項１７】
R10およびR11が、それぞれ互いに無関係に、水素、アルキル、シクロアルキル、アルコキシカルボニルアルキル、ヒドロキシアルキル、およびヘテロサイクリルアルキルから選択される請求項１に記載の化合物。
【請求項１８】
NR10R11が、ヘテロサイクリルまたは置換ヘテロサイクリルである請求項１に記載の化合物。
【請求項１９】
薬学的に許容される担体内に請求項１に記載の化合物を含む薬学的組成物。
【請求項２０】
処置を要する哺乳動物への請求項１に記載の化合物の投与を含む炎症を阻害する方法。
【請求項２１】
処置を要する哺乳動物への請求項１２に記載の化合物の投与を含む炎症を阻害する方法。
【請求項２２】
処置を要する哺乳動物への請求項１に記載の化合物の投与を含む免疫応答を抑制する方法。
【請求項２３】
処置を要する哺乳動物への請求項１２に記載の化合物の投与を含む免疫応答を抑制する方法。
【請求項２４】
請求項１に記載の化合物を調製するためのプロセス。